(57)【特許請求の範囲】
【請求項１】
ガスコンロ本体の上部の天板に設けた開口から臨む３つのコンロ用バーナと、前記ガスコンロ本体に内蔵されたグリル用バーナ及びグリル扉を有するグリル庫と、前記ガスコンロ本体の前面部に設けられて前記３つのコンロ用バーナ及び前記グリル用バーナの点消火のためにそれぞれ操作される４つの点消火ボタンとを備え、
前記３つのコンロ用バーナの内の２つのコンロ用バーナは、前記天板の前方側に配設された前方側コンロ用バーナであり、残余の１つのコンロ用バーナは、前記天板の後方側に配設された後方側コンロ用バーナであり、前記グリル庫は、前記ガスコンロ本体の左右方向の中央部に配設され、
前記４つの各点消火ボタンは、前記ガスコンロ本体の前方側へ突出する前端側部分をそれぞれ有し、
前記４つの点消火ボタンは、前記グリル扉を挟む前記左右方向の両側に一対ずつ配置されると共に、各一対をそれぞれ構成する２つの点消火ボタンが、前記前端側部分と同形状部分を有して前記ガスコンロ本体の前方側へ突出する中間部材を挟んで、前記左右方向に沿って隣接して配置され、
前記中間部材が、前記点消火ボタンの操作方向と同方向への移動が不能であり、
前記４つの各点消火ボタンは、前記前端側部分が押し下げられることで点火動作となるように構成されており、
前記各一対をそれぞれ構成する前記２つの点消火ボタンの内、前記グリル扉に近接する側に位置する各点消火ボタンが、前記２つの前方側コンロ用バーナの点消火操作のための点消火ボタンであるガスコンロであって、
前記グリル扉は、前記グリル庫の前面開口を開閉可能であると共に、前記ガスコンロ本体の前方側へ突出した把持部を有しており、
前記グリル扉が前記前面開口を閉じた状態で、前記ガスコンロ本体の前方側へ突出した前記把持部の前端側部分が、消火位置にある前記点消火ボタンの前記前端側部分よりも前記ガスコンロ本体の前方側へ突出している、
ことを特徴とするガスコンロ。
【請求項２】
前記グリル扉は、前記グリル庫の前面開口を開閉可能であると共に、前記ガスコンロ本体の前方側へ突出した把持部を有しており、
前記各一対の点消火ボタンと前記把持部とが、前記ガスコンロ本体の左右方向に沿って一列に並ぶように設けられる、
請求項１に記載のガスコンロ。
【発明の詳細な説明】
【技術分野】
【０００１】
本発明は、ガスコンロに関する。
【背景技術】
【０００２】
ガスコンロには、ガスコンロ本体の上部を覆う天板の前方側（使用者に近い側）の左右に、前方側のコンロ用バーナとして２つ、天板の後方側の中央に、後方側のコンロ用バーナとして１つの合計３つのコンロ用バーナが配置される一方、ガスコンロ本体の左右方向の中央部に配置されたグリル庫内に、グリル用バーナを備えたものがある。
【０００３】
かかるガスコンロとして、例えば、特許文献１に示すように、３つの前記コンロ用バーナと前記グリル用バーナとをそれぞれ点消火するための４つの点消火ボタンを、前記グリル庫の前面開口を開閉するグリル扉を挟んで、その左右の両側に、２つずつ、すなわち、一対ずつ配置したものがある。各点消火ボタンは、ガスコンロ本体の前方側へ突出する前端側部分をそれぞれ有しており、この突出した前端側部分を、操作部として押し操作することができる。
【０００４】
このガスコンロでは、グリル扉の左右両側の一対の点消火ボタン、すなわち、２つの点消火ボタンは、ガスコンロ本体の左右方向（横幅方向）に沿って隣接してそれぞれ配置されると共に、この隣接する２つの点消火ボタンの間に、点消火ボタンの前端側部分と同じ形状部分を有して点消火ボタンと同様に前方側に突出する中間部材を配設している。この中間部材は、点消火ボタンの操作方向と同方向への移動が不能であり、点消火ボタンのように押し操作することはできない。
【先行技術文献】
【特許文献】
【０００５】
【特許文献１】特開２０１４−０４４０３０号公報
【発明の概要】
【発明が解決しようとする課題】
【０００６】
特許文献１では、上記のように、一対の点消火ボタン、すなわち、隣接して並ぶ２つの点消火ボタンの間に、点消火ボタンの操作部となる前端側部分と同じ形状部分を有する押し操作不能の中間部材を配設しているので、使用者が、２つの点消火ボタンの一方の点消火ボタンを押し操作する場合に、誤って、手指が一方の点消火ボタンから他方側へはみ出すようなことがあっても、前記中間部材が存在するので、一方の点消火ボタンの押し操作が、他方の点消火ボタンに及ぶことがなく、意図せずに他方の点消火ボタンが押し操作されるのを回避することができる。
【０００７】
しかしながら、使用者の身体の一部が、ガスコンロ本体の前面部から前方側へ突出した点消火ボタンの前端側部分に不用意に接触して、押し操作していまい、コンロ用バーナが意図せずに点火してしまう虞がある。
【０００８】
特に、使用者に近い側である天板の前方側に配置された前方側のコンロ用バーナが、意図せずに点火してしまい使用者が驚くといった事態が生じるのは好ましくなく、改善が望まれる。
【０００９】
本発明は、上記のような点に鑑みてなされたものであって、使用者が意図せずに、前方側のコンロ用バーナの点消火ボタンを操作してしまうのを可及的に抑制することを目的とする。
【課題を解決するための手段】
【００１０】
上記目的を達成するために、本発明では次のように構成している。
【００１１】
（１）本発明のガスコンロは、ガスコンロ本体の上部の天板に設けた開口から臨む３つのコンロ用バーナと、前記ガスコンロ本体に内蔵されたグリル用バーナ及びグリル扉を有するグリル庫と、前記ガスコンロ本体の前面部に設けられて前記３つのコンロ用バーナ及び前記グリル用バーナの点消火のためにそれぞれ操作される４つの点消火ボタンとを備え、前記３つのコンロ用バーナの内の２つのコンロ用バーナは、前記天板の前方側に配設された前方側コンロ用バーナであり、残余の１つのコンロ用バーナは、前記天板の後方側に配設された後方側コンロ用バーナであり、前記グリル庫は、前記ガスコンロ本体の左右方向の中央部に配設され、前記４つの各点消火ボタンは、前記ガスコンロ本体の前方側へ突出する前端側部分をそれぞれ有し、前記４つの点消火ボタンは、前記グリル扉を挟む前記左右方向の両側に一対ずつ配置されると共に、各一対をそれぞれ構成する２つの点消火ボタンが、前記前端側部分と同形状部分を有して前記ガスコンロ本体の前方側へ突出する中間部材を挟んで、前記左右方向に沿って隣接して配置され、前記中間部材が、前記点消火ボタンの操作方向と同方向への移動が不能であり、前記４つの各点消火ボタンは、前記前端側部分が押し下げられることで点火動作となるように構成されており、前記各一対をそれぞれ構成する前記２つの点消火ボタンの内、前記グリル扉に近接する側に位置する各点消火ボタンが、前記２つの前方側コンロ用バーナの点消火操作のための点消火ボタンであるガスコンロであって、
前記グリル扉は、前記グリル庫の前面開口を開閉可能であると共に、前記ガスコンロ本体の前方側へ突出した把持部を有しており、前記グリル扉が前記前面開口を閉じた状態で、前記ガスコンロ本体の前方側へ突出した前記把持部の前端側部分が、消火位置にある前記点消火ボタンの前記前端側部分よりも前記ガスコンロ本体の前方側へ突出している。
【００１２】
本発明によると、ガスコンロ本体の前面部には、該ガスコンロ本体の左右方向の中央のグリル扉を挟んで、その両側に各一対の点消火ボタンが配置され、各一対をそれぞれ構成する２つの点消火ボタンは、点消火ボタンの前端側部分と同形状部分を有して前方側へ突出する中間部材を挟んで、前記左右方向に沿って隣接配置される。
【００１３】
グリル扉の両側の各一対をそれぞれ構成する２つの隣接する点消火ボタンの内、グリル扉に近接する側にそれぞれ位置する各点消火ボタン（以下「近接側点消火ボタン」と称する場合がある）は、２つの前方側コンロ用バーナの点消火ボタンである。
【００１４】
近接側点消火ボタンは、その内側、すなわち、ガスコンロ本体の左右方向の中央側にはグリル扉が、その外側、すなわち、ガスコンロ本体の左右方向の両端のいずれか一端側には中間部材が、それぞれ存在している。つまり、近接側点消火ボタンは、グリル扉と中間部材との間に位置している。
【００１５】
グリル扉には、該グリル扉を操作するための把持部が備えられており、通常、把持部は、把持し易いように、グリル扉の前面から前方側へ突出している。
【００１６】
また、中間部材は、上記のように、点消火ボタンと同様に、ガスコンロ本体の前方側へ突出している。
【００１７】
このように近接側点消火ボタンは、前方側に突出した把持部を有するグリル扉と、前方側へ突出した中間部材との間に位置しているので、使用者が意図せずに、その身体の一部が、近接側点消火ボタンの前端側部分に不用意に接触して、押し操作してしまう虞は少ない。
【００１８】
本発明によると、使用者が意図せずに不用意に押し操作する虞が少ない近接側点消火ボタンを、使用者に近い側である前方側コンロ用バーナの点消火ボタンとしているので、使用者が意図せずに、前方側コンロ用バーナを点火させてしまうのを効果的に抑制することができる。
【００２０】
本発明によると、グリル扉の把持部は、点消火ボタンの前端側部分よりも前方側へ突出しているので、近接側点消火ボタンは、点消火ボタンの前端側部分よりも前方へ突出した把持部を有するグリル扉と、前方側へ突出した中間部材との間に位置することになる。これによって、使用者の身体の一部が、把持部を有するグリル扉と中間部材との間に位置する近接側点消火ボタンに不用意に接触して、意図せずに押し操作してしまう虞は一層少なくなる。したがって、近接側点消火ボタンによって点消火される、使用者に近い側の前方側コンロ用バーナが、意図せずに点火してしまうのを一層効果的に抑制することができる。
【００２１】
（２）本発明の他の実施態様では、前記グリル扉は、前記グリル庫の前面開口を開閉可能であると共に、前記ガスコンロ本体の前方側へ突出した把持部を有しており、前記各一対の点消火ボタンと前記把持部とが、前記ガスコンロ本体の左右方向に沿って一列に並ぶように設けられる。
【００２２】
この実施態様によると、各一対の点消火ボタンと前方側に突出した前記把持部とが、ガスコンロ本体の左右方向に沿って一列に並ぶので、各一対の消火ボタンの内、近接側点消火ボタンは、前記左右方向に沿って、前方側へ突出した把持部と前方側へ突出した中間部材との間に挟まれた位置となり、使用者の身体の一部が意図せずに接触して、近接側点消火ボタンのみを、押し操作してしまう虞は極めて少なくなる。
【００２３】
したがって、近接側点消火ボタンによって点消火される、使用者に近い側の前方側コンロ用バーナが、意図せずに点火してしまう虞が極めて少なくなる。
【発明の効果】
【００３１】
本発明によれば、使用者が意図せずに不用意に押し操作する虞が少ない近接側点消火ボタンを、使用者に近い側である前方側コンロ用バーナの点消火ボタンとしているので、使用者が意図せずに、前方側コンロ用バーナを点火させてしまうのを効果的に抑制することができる。
【図面の簡単な説明】
【００３２】
【図１】本発明の一実施形態のガスコンロの全体斜視図である。
【図２】図１のガスコンロの開閉式の操作部を開放した状態を示す全体斜視図である。
【図３】図１のガスコンロの点消火ボタン付近の一部拡大図である。
【図４】本発明の参考例のガスコンロの全体斜視図である。
【図５】図４のガスコンロの側面図である。
【図６】本発明の他の参考例の全体斜視図である。
【発明を実施するための形態】
【００３３】
以下、本発明の実施形態について図面を参照しながら詳細に説明する。
【００３４】
図１は、本発明の一実施形態に係るガスコンロの全体斜視図である。この実施形態のガスコンロ１は、ガスコンロ本体２の上部に、ガラス製の天板５が配置され、この天板５に形成された開口から臨むコンロ用バーナとして、標準火力バーナ３Ａ、小火力バーナ３Ｂ及び大火力バーナ３Ｃを備えている。ガスコンロ本体２の左右方向（横幅方向）の中央部には、グリル庫４を備えており、このグリル庫には、図示しないグリル用バーナが備えられている。
【００３５】
標準火力バーナ３Ａ及び大火力バーナ３Ｃは、天板５の前方側（使用者に近い側）の左右に配置される２つの前方側コンロ用バーナであり、小火力バーナ３Ｂは、天板５の後方側の中央に配置される１つの後方側コンロ用バーナである。
【００３６】
天板５上には、コンロ用バーナにて加熱される鍋等の調理容器を載置するための五徳７が、３つのコンロ用バーナ３Ａ〜３Ｃの夫々に対応して設けられている。
【００３７】
ガスコンロ本体２の上面部の後部側には、グリル庫４の燃焼排ガスを排気するためのグリル排気口６が設けられている。
【００３８】
このガスコンロ１は、図示は省略するが、キッチンキャビネットの上方開口部から下方に挿入されてキッチンキャビネットに組み付けられる、いわゆるビルトインタイプとして構成されるものであり、キッチンキャビネットに組み付けられた状態においては、ガスコンロ本体２の前面部が、キッチンキャビネットの前面開口に臨ませた状態となる。
【００３９】
なお、ガスコンロ本体２の横側壁における前方側箇所には、ガスコンロ本体２の横端部と前面開口との間の隙間を塞ぐ左右一対のサイドカバー８，８が装着されている。
【００４０】
ガスコンロ本体２の前面部には、グリル庫４を左右から挟んで前面パネル９，９が設けられ、各前面パネル９，９の下方には、図２にその開放状態が示される開閉式の操作部１０，１０が設けられる。この操作部１０，１０は、図１に示される閉止状態では、その前面と前面パネル９，９とが面一となる。
【００４１】
左方の前面パネル９には、押し操作の度に、標準火力バーナ３Ａ及び小火力バーナ３Ｂの点消火をそれぞれ行うための点消火ボタン１１Ａ，１１Ｂが備えられ、その上方に、左右のスライド操作によって標準火力バーナ３Ａ及び小火力バーナ３Ｂの火力をそれぞれ手動調節する火力調節レバー１２Ａ，１２Ｂが備えられる。
【００４２】
一対の点消火ボタン１１Ａ，１１Ｂは、図３の一部拡大図に示すように、ガスコンロ本体２の左右方向に沿って隣接して配置されると共に、両点消火ボタン１１Ａ，１１Ｂの間には、ガスコンロ本体２の左右方向である横方向から見た側方視において、点消火ボタン１１Ａ，１１Ｂの前方側へ突出した前端側部分と同形状部分を有する中間部材１４が配設されている。この中間部材１４は、点消火ボタン１１Ａ，１１Ｂの押し操作方向と同方向への移動が不能であり、押し操作できないように構成されている。
【００４３】
点消火ボタン１１Ａ，１１Ｂは、図１に示すように、押し操作されていない消火位置において、ガスコンロ本体２の前方側へ突出する前端側部分が、前面パネル９の前面から距離Ｄ１だけ前方へ突出している。中間部材１４も同様に距離Ｄ１だけ前方へ突出している。
【００４４】
ガスコンロ本体２の側方視において、点消火ボタン１１Ａ，１１Ｂの前端側部分と同形状部分を有する中間部材１４が、ガスコンロ本体の左右方向に沿って並ぶ一対の点消火ボタン１１Ａ，１１Ｂの間に配設されているので、一対の点消火ボタン１１Ａ，１１Ｂの一方側の点消火ボタン１１Ａ（または１１Ｂ）を押し操作する際に、誤って、手指が他方側にはみ出して押し操作するようなことがあっても、中間部材１４は押し操作できないので、他方側の点消火ボタン１１Ｂ（または１１Ａ）が押し操作されることを回避することができる。すなわち、一対の点消火ボタン１１Ａ，１１Ｂの一方側を操作する際に、他方側の点消火ボタンを誤って操作する誤操作状態が発生する不都合を回避することができる。
【００４５】
右方の前面パネル９には、押し操作の度に大火力バーナ３Ｃ及びグリルバーナの点消火をそれぞれ行うための点消火ボタン１１Ｃ，１１Ｄが備えられ、その上方に、左右のスライド操作によって大火力バーナ３Ｃの火力を手動調節する火力調節レバー１２Ｃ及びグリルバーナの火力を切替え調節する火力切替スイッチ１３が備えられる。
【００４６】
一対の点消火ボタン１１Ｃ，１１Ｄは、一対の点消火ボタン１１Ａ，１１Ｂと同様に、ガスコンロ本体２の左右方向に沿って隣接して配置されると共に、両点消火ボタン１１Ｃ，１１Ｄの間には、中間部材１４が配設されている
一対の点消火ボタン１１Ｃ，１１Ｄも、一対の点消火ボタン１１Ａ，１１Ｂと同様に、押し操作されていない消火位置において、その前端側部分が、前面パネル９の前面から距離Ｄ１だけ前方へ突出し、中間部材１４も同様に距離Ｄ１だけ前方へ突出している。
【００４７】
左方の開閉式の操作部１０は、図２に示すように、開放状態において、標準火力バーナ３Ａ及び小火力バーナ３Ｂに対する運転情報を設定するものであって、具体的には、燃焼している標準火力バーナ３Ａ及び小火力バーナ３Ｂを設定時間が経過すると自動的に消火するタイマ運転や、やかん等の被加熱容器に収納した湯水が沸騰すると、燃焼している標準火力バーナ３Ａ及び小火力バーナ３Ｂを自動的に消火する湯沸し運転等、各種の運転を実行するための運転情報を設定することができる。
【００４８】
右方の開閉式の操作部１０は、図２に示す開放状態において、大火力バーナ３Ｃ及びグリルバーナに対する運転情報を設定するものであって、具体的には、大火力バーナ３Ｃについては、標準火力バーナ３Ａ及び小火力バーナ３Ｂと同様に、タイマ運転や湯沸し運転等の各種の運転を実行するための運転情報を設定することができる。
【００４９】
また、グリルバーナについては、燃焼しているグリルバーナを設定時間が経過すると自動的に消火するタイマ運転や、燃焼排気温度に基づいて被調理物が焼き上がったと判定すると、燃焼しているグリルバーナを自動的に消火する自動運転等、各種の運転を実行するための運転情報を設定することができる。
【００５０】
グリル庫４は、ガスコンロ本体２の左右方向の中央の前面開口を開閉するグリル扉１５を備えている。このグリル扉１５は、グリル庫４内に収容する焼き網等を支持する支持フレーム（図示せず）の前端が連結されている。このグリル扉１５の前面の下部には、左右方向に沿って延びる前方側へ突出し把持部１５Ａが備えられており、この把持部１５Ａを把持してグリル扉１５を出し入れしてグリル庫４の前面開口を開閉操作する。
【００５１】
このグリル扉１５を閉止した状態では、グリル扉１５の前面１５Ｂと、点消火ボタン１１Ａ〜１１Ｄが設けられた前面パネル９，９は、面一となる。
【００５２】
グリル扉１５の把持部１５Ａの前方側へ突出した前端側部分は、図１に示すように、グリル扉１５の前面１５Ｂから前方側へ距離Ｄ２だけ突出している。
【００５３】
このグリル扉１５の把持部１５Ａの前方側へ突出する距離Ｄ２は、点消火ボタン１１Ａ〜１１Ｄ及び中間部材１４が、前方側へ突出する上記距離Ｄ１より大きく、Ｄ２＞Ｄ１としている。
【００５４】
この実施形態では、使用者が意図せずに、前方側コンロ用バーナである標準火力バーナ３Ａ及び大火力バーナ３Ｃの点消火ボタン１１Ａ，１１Ｃを操作してしまって、標準火力バーナ３Ａ及び大火力バーナ３Ｃが点火してしまうのを抑制するために、次のように構成している。
【００５５】
すなわち、グリル扉１５を挟む左右両側にそれぞれ配置された各一対の点消火ボタン１１Ａ，１１Ｂ；１１Ｃ，１１Ｄにおいて、標準火力バーナ３Ａ及び大火力バーナ３Ｃの点消火ボタン１１Ａ，１１Ｃを、ガスコンロ本体２の左右方向の中央側、すなわち、内側であるグリル扉１５に近接する側の位置に配置している。
【００５６】
つまり、標準火力バーナ３Ａ及び大火力バーナ３Ｃの点消火ボタン１１Ａ，１１Ｃは、各一対の点消火ボタン１１Ａ，１１Ｂ；１１Ｃ，１１Ｄにおいて、ガスコンロ本体２の左右方向の両端側、すなわち、外側ではなく、グリル扉１５に近接する側である内側にそれぞれ配置している。
【００５７】
なお、上記特許文献１では、２つの前方側コンロ用バーナの点消火ボタンは、外側に配置されている。
【００５８】
このように前方側コンロ用バーナである標準火力バーナ３Ａ及び大火力バーナ３Ｃの点消火ボタン１１Ａ，１１Ｃを、ガスコンロ本体２の左右方向の内側に配置しているので、各点消火ボタン１１Ａ，１１Ｃは、前記左右方向について、内側のグリル扉１５と、外側の中間部材１４，１４とによって挟まれた位置となっており、使用者の身体の一部が意図せずに、各点消火ボタン１１Ａ，１１Ｃのいずれかの点消火ボタン１１Ａ，１１Ｃに接触して、不用意に押し操作するのを抑制することができる。
【００５９】
以下、その理由について説明する。
【００６０】
使用者の身体の一部が、ガスコンロ本体２の前面パネル９，９から前方側へ突出した点消火ボタン１１Ａ〜１１Ｄの前端側部分に接触する場合としては、主に、使用者の身体の一部が、ガスコンロ本体２の正面側から接触する、すなわち、ガスコンロ本体２の前方側から接触する場合と、ガスコンロ本体２の左右方向から接触する、すなわち、ガスコンロ本体２の横方向から接触する場合とがある。
【００６１】
ガスコンロ本体２の横方向から接触する場合には、ガスコンロ本体２の左右方向の中央側である内側から接触する場合と、ガスコンロ本体２の左右方向の両端のいずれか一端（左端または右端）側である外側から接触する場合とがある。
【００６２】
先ず、使用者の身体の一部が、ガスコンロ本体２の前面パネル９，９から突出した点消火ボタン１１Ａ〜１１Ｄのいずれかの点消火ボタンの前端側部分に、ガスコンロ本体２の正面側、すなわち、前方側から接触する場合について説明する。
【００６３】
この場合、使用者の身体の一部は、点消火ボタン１１Ａ〜１１Ｄのいずれかの点消火ボタンだけではなく、その点消火ボタンに隣接する中間部材１４にも接触することが多い。この中間部材１４は、上記のように点消火ボタン１１Ａ〜１１Ｄの操作方向と同方向へ移動できないので、中間部材１４を押し操作することはできない。
【００６４】
したがって、いずれかの点消火ボタン及びそれに隣接する中間部材１４に接触した使用者の身体の一部が、中間部材１４の位置を越えて点消火ボタンのみを押し操作する虞は少ない。
【００６５】
すなわち、使用者の身体の一部が、いずれかの点消火ボタンに、ガスコンロ本体２の前方側から意図せずに接触して押し操作する虞は少ない。
【００６６】
次に、使用者の身体の一部が、いずれかの消火ボタンの前端側部分に、ガスコンロ本体２の左右方向、すなわち、横方向から接触する場合について説明する。
【００６７】
先ず、使用者の身体の一部が、いずれかの点消火ボタンの前端側部分に、ガスコンロ本体２の左右方向の中央側である内側から接触する場合について説明する。
【００６８】
上記のように、４つの点消火ボタン１１Ａ〜１１Ｄは、ガスコンロ本体２の左右方向の中央部のグリル庫４のグリル扉１５を挟んで、その左右の両側に一対ずつ配置されている。
【００６９】
したがって、使用者の身体の一部が、ガスコンロ本体２の左右方向の中央側である内側から、いずれかの点消火ボタンへ接触する場合は、グリル扉１５の両側の各一対をそれぞれ構成する２つの点消火ボタン１１Ａ，１１Ｂ；１１Ｃ，１１Ｄの内、内側であるグリル扉１５に近接する側（近接側）の点消火ボタン１１Ａ，１１Ｃへの接触となる。
【００７０】
ガスコンロ本体２の中央側である内側には、グリル扉１５が配置され、このグリル扉１５には、把持しやすいように前方側へ突出した把持部１５Ａが設けられている。
【００７１】
このため、使用者の身体の一部が、ガスコンロ本体２の左右方向の中央側である内側から、グリル扉１５に近接する側の点消火ボタン１１Ａ，１１Ｃのいずれかの点消火ボタンへ接触する場合には、いずれかの点消火ボタンに接触する前に、ガスコンロ本体２の中央側のグリル扉１５の前方側へ突出した把持部１５Ａに接触し易い。
【００７２】
使用者は、身体の一部が、グリル扉１５に近接する側の点消火ボタン１１Ａ，１１Ｃのいずれかの点消火ボタンへ接触する前に、グリル扉１５の前方側へ突出した把持部１５Ａに接触すると、事前に、いずれかの点消火ボタンへの接触に気づくことが多く、グリル扉１５に近接する側の点消火ボタン１１Ａ，１１Ｃのいずれかの点消火ボタンを、使用者が意図せずに押し操作してしまう虞は比較的少ない。
【００７３】
これに対して、使用者の身体の一部が、ガスコンロ本体２の左右方向の両端のいずれか一端側である外側から点消火ボタンへ接触する場合は、グリル扉１５の両側に配置された各一対をそれぞれ構成する２つの点消火ボタン１１Ａ，１１Ｂ；１１Ｃ，１１Ｄの内、外側に配置された点消火ボタン１１Ｂ，１１Ｄへの接触となる。
【００７４】
この外側の点消火ボタン１１Ｂ，１１Ｄは、それよりも外側には、使用者の身体の一部に接触するものがない。このため、使用者が意図せずに、不用意に外側の点消火ボタン１１Ｂ，１１Ｄのいずれかの点消火ボタンに接触して、押し操作してしまう虞は、内側から接触する場合に比べて高い。
【００７５】
以上のように、使用者の身体の一部が、意図せずに、点消火ボタン１１Ａ〜１１Ｄのいずれかの点消火ボタンの前端側部分に接触する場合としては、ガスコンロ本体２の左右方向の両端のいずれか一端側である外側から接触する、したがって、外側の点消火ボタン１１Ｂ，１１Ｄに接触する場合が多いと考えられる。
【００７６】
本実施形態によれば、使用者の近い側の前方側コンロ用バーナである標準火力バーナ３Ａ及び大火力バーナ３Ｃの点消火ボタン１１Ａ，１１Ｃを、使用者の身体の一部が、意図せずに、接触する虞が高い外側ではなく、内側、すなわち、グリル扉１５に近接する側に配置しているので、点消火ボタン１１Ａ，１１Ｃのいずれかの点消火ボタンが、使用者が意図せずに押し操作される虞が少なく、前方側のコンロ用バーナである標準火力バーナ３Ａ及び大火力バーナ３Ｃが、使用者が意図せずに点火するのを抑制することができる。
【００７７】
しかも、本実施形態では、グリル扉１５の把持部１５Ａは、各点消火ボタン１１Ａ〜１１Ｄの前方側への突出距離Ｄ１よりも前方側への突出距離Ｄ２が大きいので、使用者の身体の一部が、意図せずに、点消火ボタン１１Ａ，１１Ｃのいずれかの点消火ボタンに接触して押し操作する虞が一層少なくなる。
【００７８】
なお、後方側コンロ用バーナである小火力バーナ３Ｂの点消火ボタン１１Ｂは、一対の点消火ボタン１１Ａ，１１Ｂにおいて、ガスコンロ本体２の左右方向の一端側、すなわち、外側に位置している。このため、使用者の身体の一部が、意図せずに、点消火ボタン１１Ｂに接触して押し操作する虞があるが、点消火ボタン１１Ｂが、使用者が意図せずに押し操作して、小火力バーナ３Ｂが点火しても、小火力バーナ３Ｂは、天板５の後方側、すなわち、使用者から離れた位置に配置されているので、火炎が使用者に及ぶことはない。
【００７９】
図４は、本発明の参考例のガスコンロの全体斜視図であり、図５は、その側面図である。
【００８０】
この参考例のガスコンロ１−１は、卓上式のガコンロである。このガスコンロ本体２−１の上部の天板５には、上記実施形態と同様に、前方側の左右に標準火力バーナ３Ａ及び大火力バーナ３Ｃの２つのコンロ用バーナが、天板５の後方側の中央に小火力バーナ３Ｂが、それぞれ配置されている。ガスコンロ本体２の左右方向の中央部には、グリル庫４−１を備えており、このグリル庫４−１には、図示しないグリル用バーナが内蔵されている。
【００８１】
ガスコンロ本体２−１の上面部の後部側には、グリル庫４−１の燃焼排ガスを排気するためのグリル排気口６が設けられている。
【００８２】
ガスコンロ本体２−１の前面には、中央部のグリル庫４−１を挟んで、その左右に前面パネル９−１，９−１が設けられる。
【００８３】
左方の前面パネル９−１の下部には、押し操作の度に標準火力バーナ３Ａ及び小火力バーナ３Ｂの点消火をそれぞれ行うための点消火ボタン１１Ａ−１，１１Ｂ−１が備えられ、その上方に、左右のスライド操作によって標準火力バーナ３Ａ及び小火力バーナ３Ｂの火力をそれぞれ手動調節する火力調節レバー１２Ａ−１，１２Ｂ−１が備えられる。点消火ボタン１１Ａ−１，１１Ｂ−１は、その操作面が、前面パネル９−１の前面に沿って段差なく連続するように形成されている。前面パネル９−１の前面は、図５の側面図に示すように、下方へ向かって緩やかに前方へ突出し、突出した前端から下方へ向かって緩やかに後方へ傾斜している。
【００８４】
一対の点消火ボタン１１Ａ−１，１１Ｂ−１は、上記実施形態と同様に、ガスコンロ本体２−１の左右方向に沿って隣接して配置され、両点消火ボタン１１Ａ−１，１１Ｂ−１の間には、中間部材１４−１が設けられている。
【００８５】
右方の前面パネル９−１の下部には、押し操作の度に大火力バーナ３Ｃ及びグリルバーナの点消火をそれぞれ行うための点消火ボタン１１Ｃ−１，１１Ｄ−１が備えられる。大火力バーナ３Ｃの点消火ボタン１１Ｃ−１の上方に、左右のスライド操作によって大火力バーナ３Ｃの火力を手動調節する火力調節レバー１２Ｃ−１が備えられる。点消火ボタン１１Ｃ−１，１１Ｄ−１は、その操作面が、前面パネル９−１の前面に沿って段差なく連続するように形成されている。
【００８６】
一対の点消火ボタン１１Ｃ−１，１１Ｄ−１は、上記一対の点消火ボタン１１Ａ−１，１１Ｂ−１と同様に、ガスコンロ本体２−１の左右方向に沿って隣接して配置され、両点消火ボタン１１Ｃ−１，１１Ｄ−１の間には、中間部材１４−１が設けられている。
【００８７】
ガスコンロ本体２−１の左右方向の中央部のグリル庫４−１の前面開口を開閉するグリル扉１５−１の前面は、前面開口を閉止した状態で、その両側の前面パネル９−１，９−１の前面に沿って段差なく連続するように形成されている。グリル扉１５−１の下部には、把持しやすいように前方側へ突出した把持部１５Ａ−１が備えられている。
【００８８】
この参考例では、グリル扉１５−１がグリル庫４−１の前面開口を閉じた状態において、把持部１５Ａ−１が、ガスコンロ本体２−１の左右方向に沿って、点消火ボタン１１Ａ−１〜１１Ｄ−１と横一列に並ぶように配置される。更に、前面パネル９−１の前面、点消火ボタン１１Ａ−１〜１１Ｄ−１の操作面、及び、グリル扉１５−１の把持部１５Ａ−１の前面が、段差なく連続するように設けられている。
【００８９】
これによって、使用者の身体の一部が、意図せず不用意に前方側コンロバーナである標準火力バーナ３Ａ及び大火力バーナ３Ｃの点消火ボタン１１Ａ，１１Ｃに接触して押し操作するのを一層確実に抑制することができる。
【００９０】
図６は、本発明の他の参考例のガスコンロの全体斜視図であり、上記図１の実施形態に対応する部分には、同一の参照符号を付す。
【００９１】
この参考例のガスコンロ１−２では、図１の実施形態と異なり、グリル庫、したがって、グリルバーナは備えられておらず、グリルバーナに代えて、天板５−２の後方側には、後方側コンロ用バーナとして２つの小火力バーナ３Ｂ−１，３Ｂ−２が備えられている。
【００９２】
このため、右方の前面パネル９の右側の下部には、グリルバーナ用の点消火ボタンに代えて、後方側コンロ用バーナである小火力バーナ３Ｂ−２の点消火ボタン１１Ｂ−２が備えられ、その上方には、グリルバーナの火力切替スイッチに代えて、小火力バーナ３Ｂ−２の火力を調節するための火力調節レバー１２Ｂ−２が備えられている。
【００９３】
その他の構成は、図１の実施形態と基本的に同様であり、使用者に近い側の前方側コンロ用バーナである標準火力バーナ３Ａ及び大火力バーナ３Ｃの点消火ボタン１１Ａ，１１Ｃを、ガスコンロ本体２−２の左右方向の中央に近接する側（内側）に配置している。
【００９５】
上記実施形態では、前方側コンロ用バーナの火力を、標準火力及び大火力とし、後方側コンロ用バーナの火力を、小火力としたけれど、火力は、これに限るものではなく、任意である。
【００９６】
本発明は、上記実施形態に限定されるものではなく、本発明の範囲内において種々の変形を加えることが可能である。
【符号の説明】
【００９７】
１，１−１，１−２        ガスコンロ
２，２−１，２−２        ガスコンロ本体
３Ａ                      標準火力バーナ（前方側コンロ用バーナ）
３Ｂ，３Ｂ−１，３Ｂ−２  小火力バーナ（後方側コンロ用バーナ）
３Ｃ                      大火力バーナ（前方側コンロ用バーナ）
１１Ａ〜１１Ｄ            点消火ボタン
１１Ａ−１〜１１Ｄ−１    点消火ボタン
１１Ｂ−１，１１Ｂ−２    点消火ボタン
４，４−１                グリル庫
５                        天板
９，９−１                前面パネル
１４，１４−１            中間部材
１５，１５−１            グリル扉
１５Ａ，１５Ａ−１        把持部
【図１】
0006712100.tif 000002
【図２】
0006712100.tif 000003
【図３】
0006712100.tif 000004
【図４】
0006712100.tif 000005
【図５】
0006712100.tif 000006
【図６】
0006712100.tif 000007